(57)【要約】【課題】シール性能を向上させるとともに、ダンパプレート部分での結露を防止し、応力腐食割れを防止することができるポペット式ダンパを提供する。【解決手段】駆動手段により駆動されるダンパプレートにより、ダクトに連通する通気口と大気を取り入れる通路口を開閉してガスと大気の流れを制御するポペット式ダンパであって、前記ダンパプレートが一対のダンパプレートとからなるとともに、該一対のダンパプレートのあいだに断熱保温部材が配置されている。【選択図】図３
2007101040.tif 000002
【特許請求の範囲】
【請求項１】
駆動手段により駆動されるダンパプレートにより、ダクトに形成される通気口を開閉するポペット式ダンパであって、
前記ダンパプレートの背面に断熱保温部材が配置されてなることを特徴とするポペット式ダンパ。
【請求項２】
駆動手段により駆動されるダンパプレートにより、ダクトに連通する通気口と大気を取り入れる通路口を開閉してガスと大気の流れを制御するポペット式ダンパであって、
前記ダンパプレートが一対のダンパプレートとからなるとともに、該一対のダンパプレートのあいだに断熱保温部材が配置されてなることを特徴とするポペット式ダンパ。
【請求項３】
焼却炉から排出される排ガスを処理する集塵機と、該集塵機における入口排ガスダクトと出口排ガスダクトとにそれぞれ連結される温風入口ダンパと設備起動時、大気を取り入れる通路を有する温風出口ダンパとを介して配設される温風循環機構とを備える排ガス処理装置であって、
前記温風出口ダンパが、駆動手段と、該駆動手段により駆動される一対のダンパプレートと、該一対のダンパプレートのあいだに配置される断熱保温部材とからなり、前記出口排ガスダクトに連通する通気口と大気を取り入れる通路口を開閉してガスと大気の流れを制御するポペット式ダンパであることを特徴とする排ガス処理装置。
【発明の詳細な説明】
【技術分野】
【０００１】
本発明はポペット式ダンパおよび該ポペット式ダンパを用いる排ガス処理装置に関する。さらに詳しくは、シール性能を向上させるとともに、ダンパプレート部分での結露を防止し、応力腐食割れを防止することができるポペット式ダンパおよび該ポペット式ダンパを用いる排ガス処理装置に関する。
【背景技術】
【０００２】
都市ごみ焼却炉や産業廃棄物焼却炉から排出される排ガス中には、媒塵や塩化水素、弗化水素、硫黄酸化物、窒素酸化物、重金属類およびダイオキシンなどの多種類の有害物質が多量に含まれている。かかる焼却設備においては、焼却炉から排出される排ガスを処理する排ガス処理装置の下流位置に、これらの有害物質を除去する脱硝装置やダイオキシン除去装置などが設定されている。前記排ガス処理装置において、排ガス処理に使用されるろ過式集塵機は、集塵するダスト内には、潮解性物質を含むことが多いことから、設備停止時に集塵機本体（缶体）内部に残留しているダストの潮解防止のための温風循環機構を設置し、加熱するようにしている。また、設備起動時の排ガス中の水分による結露防止のため、設備停止時に本体内部を加熱している。
【０００３】
たとえば図４に示されるように、設備停止時には、集塵機１００のバイパスダンパ１０１を開けるとともに、集塵機入口ダンパ１０２と集塵機出口ダンパ１０３を閉め、集塵機１００の本体を密閉状態としたのり、温風循環機構の温風入口ダンパ１０４と温風出口ダンパ１０５を開ける。ついで温風循環機構の温風用ヒータ１０６と温風用送風機１０７を起動させ、集塵機１００の内部のガスを加熱しながら循環させることにより集塵機内部のガス温度をダストの潮解しない温度に保つようにしている。また、設備起動時には、温風循環ダクト１０８内のガスを大気相当に置き換える必要があるため、集塵機入口ダンパ１０２と集塵機出口ダンパ１０３を開けるとともに、集塵機バイパスダンパ１０１を閉め、集塵機１００にガスが通る状態にした際に、一定時間、温風出口ダンパ１０５を閉めることにより大気を取り入れ、温風循環ダクト１０８の内部ガスを放出させてから停止している。
【０００４】
前記設備起動中の温風入口ダンパ１０４と温風出口ダンパ１０５は充分なシール性が必要となるため、ポペット式ダンパが用いられている。このポペット式ダンパとして、たとえば特許文献１記載のポペット式ダンパを適用することができる。
【０００５】
【特許文献１】実開平４−６３９２３号公報
【発明の開示】
【発明が解決しようとする課題】
【０００６】
しかしながら、前記温風出口ダンパ１０５におけるポペット式ダンパにおいては、設備起動中にダンパプレート（羽根）１０５aの上下で温度差が発生するため、ダンパプレート１０５aの材質をステンレス鋼（ＳＵＳ）として耐食性を高めた構造としても、排ガス中の水分のダンパプレート部分での結露および腐食性ガスに接している状態で常時シリンダー１０５ｂの推力が作用しているため、いわゆる応力腐食割れにより、ダンパプレート１０５ａが破損するおそれがある。また、熱変動によるダンパプレート１０５ａの変形のために、シール性能が低下するおそれがある。
【０００７】
そこで、本発明は、叙上の事情に鑑み、シール性能を向上させるとともに、ダンパプレート部分での結露を防止し、応力腐食割れを防止することができるポペット式ダンパおよび該ポペット式ダンパを用いる排ガス処理装置を提供することを目的とする。
【課題を解決するための手段】
【０００８】
本発明のポペット式ダンパは、駆動手段により駆動されるダンパプレートにより、ダクトに形成される通気口を開閉するポペット式ダンパであって、前記ダンパプレートの背面に断熱保温部材が配置されてなることを特徴としている。
【０００９】
また、本発明のポペット式ダンパは、駆動手段により駆動されるダンパプレートにより、ダクトに連通する通気口と大気を取り入れる通路口を開閉してガスと大気の流れを制御するポペット式ダンパであって、前記ダンパプレートが一対のダンパプレートとからなるとともに、該一対のダンパプレートのあいだに断熱保温部材が配置されてなることを特徴としている。
【００１０】
さらに、本発明の排ガス処理装置は、焼却炉から排出される排ガスを処理する集塵機と、該集塵機における入口排ガスダクトと出口排ガスダクトとにそれぞれ連結される温風入口ダンパと設備起動時、大気を取り入れる通路を有する温風出口ダンパとを介して配設される温風循環機構とを備える排ガス処理装置であって、前記温風出口ダンパが、駆動手段と、該駆動手段により駆動される一対のダンパプレートと、該一対のダンパプレートのあいだに配置される断熱保温部材とからなり、前記出口排ガスダクトに連通する通気口と大気を取り入れる通路口を開閉してガスと大気の流れを制御するポペット式ダンパであることを特徴としている。
【発明の効果】
【００１１】
本発明によれば、熱変形が防止できるので、シール性能を向上させることができる。また、ダンパプレート部分での結露を防止することができるため、この部分の腐食が発生しない。また、応力腐食割れを防止することができる。
【発明を実施するための最良の形態】
【００１２】
以下、添付図面に基づいて、本発明のポペット式ダンパおよび該ポペット式ダンパを用いる排ガス処理装置を説明する。本発明のポペット式ダンパは、都市ごみ焼却炉や産業廃棄物焼却炉などの焼却炉設備の焼却炉から排出される排ガスを処理する排ガス処理装置や、熱回収蒸気ボイラを通るように熱いガスを方向付けたり、ガスをバイパスに向きを切り換えたりするための方向切換器なに適用することができる。
【００１３】
本発明の一実施の形態にかかわるポペット式ダンパを適用した排ガス処理装置は、図１に示されるように、焼却炉から排出される排ガスを処理する集塵機１と、設備停止時に集塵機１の本体内部に残留しているダストの潮解防止のためおよび設備起動時の排ガス中の水分による結露防止のための温風循環機構２とを備えている。該集塵機１における入口排ガスダクト３と出口排ガスダクト４には、集塵機入口ダンパ５および集塵機出口ダンパ６が接続されている。また、この集塵機入口ダンパ５の上流と集塵機出口ダンパ６の下流は、集塵機バイパスダンパ７を介して集塵機バイパス８により連通している。
【００１４】
前記集塵機１としては、細長い円筒状をしたろ布を規則正しく配列して吊下げたバグフィルターを用いたろ過式集塵機とすることができる。たとえば集塵機１の上流位置のごみ焼却炉に廃熱ボイラ、減温設備、アルカリ剤吹込み装置および活性炭吹込み装置などを接続して、焼却炉から排出された排ガス中のダスト、有害酸性ガスおよびダイオキシン類を前記バグフィルターのろ布にて付着および吸着して除去することができる。また、バグフィルターのろ布の差圧を入口排ガスダクト３と出口排ガスダクト４に設けられた圧力計（図示せず）と差圧測定器（図示せず）により測定し、この測定差圧値と基準測定値とを比較した結果に基づき、圧縮空気を用いて、パルスジェット器（図示せず）によりろ布のダスト払落し処理を行うようにすることができる。
【００１５】
前記温風循環機構２は、前記入口排ガスダクト３と出口排ガスダクト４とにそれぞれ連結される温風入口ダンパ９および温風出口ダンパ１０と、両ダンパに連通する温風循環ダクト１１に接続される温風ヒータ１２および温風用送風機１３とを備えている。前記温風入口ダンパ９は、駆動手段により駆動されるダンパプレート９ａにより、入口排ガスダクト３に連通する通気口３ａを開閉するポペット式ダンパである。また、前記温風出口ダンパ１０は、図１〜３に示されるように、大気を取り入れる通路１４と排気ガスの通路１５が形成されており、駆動手段１６により駆動される、ダンパシール部Ｓである一対のダンパプレート１７により、出口排ガスダクト４に連通する通気口４ａと大気を取り入れる通路口１４ａを開閉してガスと大気の流れを制御するポペット式ダンパとされている。前記駆動手段１６は、たとえばエアシリンダー、電動シリンダーまたは油圧シリンダーなどのアクチュエータを用いることができるが、本実施の形態では、エアシリンダーが用いられている。また、前記ダンパプレート１７としては、耐食性と強度を有する材質であり、ステンレス鋼（ＳＵＳ）などを用いることができる。なお、図３において、符号１８はフィルターであり、１９はシールであり、２０は断熱保温材である。
【００１６】
本発明において、前記一対のダンパプレート１７のあいだには、断熱保温部材２１が配置されている。該断熱保温部材２１の構造および配置としては、とくに限定されるものではないが、たとえば断熱保温材２２をダンパプレート１７と側板２３により囲まれた中に充填させる構造とすることができる。前記側板２３は側板固定部材２４により、前記ダンパプレート１７と接合しないように取り付けられている。これは、エアシリンダーの推力によりダンパプレート１７を撓ませ、シール１９に密着させることによりシール性能を維持するためである。また、前記断熱保温部材２１に使用されている断熱保温材２２の材質としては、グラスウールや、ロックウール、シリカボードなどを用いることができる。なお、ダンパプレート１７や側板固定部材２４などは、ボルトおよび金具類により固定されている。
【００１７】
本実施の形態では、設備停止時には、集塵機１のバイパスダンパ７を開けるとともに、集塵機入口ダンパ５と集塵機出口ダンパ６を閉め、集塵機１の本体を密閉状態とする。ついで温風循環機構２の温風入口ダンパ９と温風出口ダンパ１０を開いたのち、温風循環機構２の温風用ヒータ１２と温風用送風機１３を起動させ、集塵機１の内部のガスを加熱しながら循環させる。これにより、集塵機１の内部のガス温度をダストの潮解しない温度に保つことができる。また、設備起動時には、温風循環ダクト１１内のガスを大気相当に置き換えるために、集塵機入口ダンパ５と集塵機出口ダンパ６を開ける。そして、集塵機バイパスダンパ７を閉め、集塵機１にガスが通る状態にしたのち、温風出口ダンパ１０を閉める（図２参照）。これにより、大気を取り入れ、温風循環ダクト１１の内部ガスを放出させてから、温風用送風機１３、温風用ヒータ１２を停止し、温風入口ダンパ９を閉める。
【００１８】
なお、本実施の形態では、一対のダンパプレート１７に断熱保温部材２１を配置させるようにしているが、本発明においては、これに限定されるものではない。たとえば前記温風入口ダンパ９のポペット式ダンパにおいては、大気取入れ部分がないため、ダンパプレート９ａの上下で温度差が小さいが、長期使用の場合熱変形は避けられない。このため、温風入口ダンパ９のポペット式ダンパにおける1枚のダンパプレート９ａの背面に断熱保温部材を配置し、シール性能を向上させることができる。
【図面の簡単な説明】
【００１９】
【図１】本発明の一実施の形態にかかわる排ガス処理装置の概略構成図である。
【図２】図１の温風出口ダンパの拡大図である。
【図３】図２のポペット式ダンパの要部拡大図である。
【図４】従来の焼却炉設備における排ガス処理装置の概略構成図である。
【符号の説明】
【００２０】
１          集塵機
２          温風循環機構
３          入口排ガスダクト
３ａ、４ａ、
１４ａ      通気口
４          出口排ガスダクト
５          集塵機入口ダンパ
６          集塵機出口ダンパ
７          集塵機バイパスダンパ
８          集塵機バイパス
９          温風入口ダンパ
１０        温風出口ダンパ
１１        温風循環ダクト
１２        温風用ヒータ
１３        温風用送風機
１４、１５  通路
１６        駆動手段
１７        ダンパプレート
２０、２２  断熱保温材
２１        断熱保温部材
２３        側板
２４        側板固定部材
【図１】
2007101040.tif 000003
【図２】
2007101040.tif 000004
【図３】
2007101040.tif 000005
【図４】
2007101040.tif 000006